(57)【要約】【課題】この発明は、電磁波の発生を抑えることができ信頼性の高い表示装置を提供することを課題とする。【解決手段】表示パネル１０は、マトリックス状の配線を有する。配線を電流が流れると、ある特性を有する磁界が発生し、電磁波が発生する。コイル２０は、表示パネル１０の長手方向に沿って２つのコイル２１、２２を並設し、表示パネル１０から発生する電磁波を少なくとも部分的に抑制するための磁界Ｍ2を発生させる。【選択図】      図７
2006134665.tif 000002
【特許請求の範囲】
【請求項１】
前面基板と、
この前面基板に対向配置されているとともに、その周縁部同士が封着された背面基板と、
複数の画像表示素子と、
これら複数の画像表示素子を駆動するための電圧を与えるマトリックス状の複数本の配線と、
これら複数本の配線を流れる電流により発生する電磁波を少なくとも部分的に打ち消す方向の磁界を発生させるコイルと、
を有することを特徴とする表示装置。
【請求項２】
上記コイルに流す電流の周波数は、上記配線を流れる電流の周波数と同じ周波数に設定されていることを特徴とする請求項１に記載の表示装置。
【請求項３】
上記コイルは、上記背面基板の裏面に取り付けられる補強板に取り付けられることを特徴とする請求項１に記載の表示装置。
【請求項４】
上記コイルは、上記補強板の上記背面基板から離間した側に取り付けられることを特徴とする請求項３に記載の表示装置。
【請求項５】
上記補強板は、アルミニウム板であることを特徴とする請求項４に記載の表示装置。
【請求項６】
互いに絶縁状態でマトリックス状に形成された複数本の配線およびその交点にそれぞれ設けられた複数の電子放出素子を有する背面基板と、
この背面基板に離間対向して配置されその周縁部同士が封着されて内部が真空にされているとともに上記複数の電子放出素子に対応する複数の蛍光体層を有する前面基板と、
上記複数本の配線を流れる電流により発生する電磁波を少なくとも部分的に打ち消す方向の磁界を発生させるコイルと、
を有することを特徴とする表示装置。
【請求項７】
上記複数本の配線は、上記背面基板の長手方向に沿って互いに平行に延設された複数本の走査配線、および上記背面基板の短手方向に沿って互いに平行に延設された複数本の信号配線を有し、
上記各電子放出素子に流れる電流は、上記信号配線を第１の方向に流れて当該電子放出素子を通って上記走査配線に流れ、
上記コイルは、上記背面基板と略平行な面に沿って該背面基板の長手方向に並設され、該背面基板の長手方向略中央で上記第１の方向と逆の第２の方向に電流を流し且つ該背面基板の長手方向両端辺近くで上記第１の方向に電流を流す２つのコイルを有することを特徴とする請求項６に記載の表示装置。
【請求項８】
上記コイルに流す電流の周波数は、上記配線を流れる電流の周波数と同じ周波数に設定されていることを特徴とする請求項７に記載の表示装置。
【請求項９】
上記コイルは、上記背面基板の裏面に取り付けられる補強板に取り付けられることを特徴とする請求項７に記載の表示装置。
【請求項１０】
上記コイルは、上記補強板の上記背面基板から離間した側に取り付けられることを特徴とする請求項９に記載の表示装置。
【請求項１１】
上記補強板は、アルミニウム板であることを特徴とする請求項１０に記載の表示装置。
【発明の詳細な説明】
【技術分野】
【０００１】
この発明は、マトリックス状の配線を介して複数の画像表示素子に給電して駆動することで画像を表示する表示装置に関する。
【背景技術】
【０００２】
近年、偏平な平面パネル構造の真空外囲器を有する表示装置として、液晶ディスプレイ、フィールドエミッションディスプレイ（ＦＥＤ）、プラズマディスプレイ（ＰＤＰ）等が知られている。
【０００３】
ＦＥＤは、所定の隙間を置いて対向配置された前面基板および背面基板を有する。これらの基板は、矩形枠状の側壁を介して周縁部を互いに接合され、内部を真空にされて偏平な平面パネル構造の真空外囲器を構成している。
【０００４】
前面基板の内面には３色の蛍光体層に重ねてメタルバックを有する蛍光体スクリーンが形成され、背面基板の内面には蛍光体層を励起発光させる電子を放出する多数の電子放出素子が整列配置されている。また、背面基板の内面上には、電子放出素子を駆動するための多数本の配線がマトリックス状に設けられ、その端部は真空外囲器の外部に引き出されている。
【０００５】
このＦＥＤを動作させる場合、基板間に高電圧を与え、配線に接続した駆動回路を介して各電子放出素子に選択的に駆動電圧を印加する。これにより、各電子放出素子から選択的に電子ビームが放出され、これら電子ビームが、対応する蛍光体層に照射され、蛍光体層が励起発光されてカラー画像が表示されるようになっている（例えば、特許文献１参照。）。
【０００６】
しかし、上述したＦＥＤにおいて、配線を流れる電流により電磁波が発生することが知られている。この電磁波は、近くにある機器間における干渉の問題や、人体に対する悪影響の問題を引き起こす。
【特許文献１】特開２００３−２４２９１３号公報
【発明の開示】
【発明が解決しようとする課題】
【０００７】
この発明の目的は、電磁波の発生を抑えることができ信頼性の高い表示装置を提供することにある。
【課題を解決するための手段】
【０００８】
上記目的を達成するため、この発明の表示装置は、前面基板と、この前面基板に対向配置されているとともに、その周縁部同士が封着された背面基板と、複数の画像表示素子と、これら複数の画像表示素子を駆動するための電圧を与えるマトリックス状の複数本の配線と、これら複数本の配線を流れる電流により発生する電磁波を少なくとも部分的に打ち消す方向の磁界を発生させるコイルと、を有する。
【０００９】
また、この発明の表示装置は、互いに絶縁状態でマトリックス状に形成された複数本の配線およびその交点にそれぞれ設けられた複数の電子放出素子を有する背面基板と、この背面基板に離間対向して配置されその周縁部同士が封着されて内部が真空にされているとともに上記複数の電子放出素子に対応する複数の蛍光体層を有する前面基板と、上記複数本の配線を流れる電流により発生する電磁波を少なくとも部分的に打ち消す方向の磁界を発生させるコイルと、を有する。
【００１０】
上記発明によると、マトリックス状の配線を流れる電流の向きに応じて特定のコイルを設け、マトリックス状の配線を流れる電流による電磁波を少なくとも部分的に打ち消すようにした。
【発明の効果】
【００１１】
この発明の表示装置は、上記のような構成および作用を有しているので、電磁波の発生を抑えることができ信頼性を高めることができる。
【発明を実施するための最良の形態】
【００１２】
以下、図面を参照しながら、この発明の実施の形態について詳細に説明する。  
始めに、図１乃至図３を参照して、本発明の実施の形態に係る表示装置の一例として、ＳＥＤ（Surface-conduction Electron-emitter Display）について説明する。図１は、前面基板２を部分的に切り欠いた状態のＳＥＤの真空外囲器１０（以下、表示パネル１０と称する場合もある）を示す斜視図であり、図２は、図１の真空外囲器１０を線II-IIで切断した断面図であり、図３は、図２の断面を部分的に拡大した部分拡大断面図である。
【００１３】
図１乃至図３に示すように、表示パネル１０は、それぞれ矩形のガラス板からなる前面基板２および背面基板４を備え、これらの基板は約１．０〜２．０ｍｍの隙間をおいて互いに平行に対向配置されている。背面基板４は、前面基板２より１回り大きいサイズを有する。また、前面基板２および背面基板４は、ガラスからなる矩形枠状の側壁６を介して周縁部同士が接合され、内部が真空の扁平な平面パネル構造の真空外囲器を構成している。
【００１４】
前面基板２の内面には画像表示面として機能する蛍光体スクリーン１２が形成されている。この蛍光体スクリーン１２は、赤、青、緑の蛍光体層Ｒ、Ｇ、Ｂ、および遮光層１１を並べて構成され、重ねてアルミニウム等からなるメタルバック１４を有する。蛍光体層Ｒ、Ｇ、Ｂは、ストライプ状あるいはドット状に形成されている。
【００１５】
背面基板４の内面には、蛍光体スクリーン１２の蛍光体層Ｒ、Ｇ、Ｂを励起発光させるための電子ビームを放出する多数の表面伝導型の電子放出素子１６が設けられている。これらの電子放出素子１６は、画素毎、すなわち蛍光体層Ｒ、Ｇ、Ｂ毎に対応して複数列および複数行に配列されている。各電子放出素子１６は、図示しない電子放出部、この電子放出部に電圧を印加する一対の素子電極等で構成されている。なお、各電子放出素子１６は、対応する蛍光体層とともにこの発明の画像表示素子として機能する。
【００１６】
また、背面基板４の内面上には、各電子放出素子１６に駆動電圧を与えるための多数本の配線１８がマトリックス状に設けられ、その端部は真空外囲器１０の外部に引き出されている。配線１８は、図４に模式的に示すように、互いに絶縁状態でマトリックス状に交差した、背面基板４の長手方向に沿って互いに平行に延設された複数本の走査配線１８ａ、および背面基板４の短手方向に沿って互いに平行に延設された複数本の信号配線１８ｂを有する。そして、各配線１８ａ、１８ｂの交点に電子放出素子１６がそれぞれ設けられている。また、各走査配線１８ａの両端には、ＹドライバＩＣ１３が接続され、各信号配線１８ｂの一端（図中上端）には、ＸドライバＩＣ１５が接続されている。
【００１７】
接合部材として機能する側壁６は、例えば、低融点ガラス、低融点金属等の封着材１９により、前面基板２の周縁部および背面基板４の周縁部に封着され、これらの基板同士を接合している。本実施の形態では、背面基板４と側壁６をフリットガラス１９ａを用いて接合し、前面基板２と側壁６をインジウム１９ｂを用いて接合した。
【００１８】
また、表示パネル１０は、前面基板２と背面基板４の間にガラスからなる複数の細長い板状のスペーサ８を備えている。本実施の形態において、スペーサ８は、複数の細長いガラス板としたが、多数の柱状のスペーサでも良い。
【００１９】
各スペーサ８は、上述した蛍光体スクリーン１２のメタルバック１４および遮光層１１を介して前面基板２の内面に当接する上端８ａ、および背面基板４の内面上に設けられた配線１８上に当接する下端８ｂを有する。しかして、これら複数のスペーサ８は、前面基板２および背面基板４の外側から作用する大気圧荷重を支持し、基板間の間隔を所定値に維持している。
【００２０】
さらに、ＳＥＤは、前面基板２のメタルバック１４にアノード電圧を印加する図示しない電圧供給部を備えている。電圧供給部は、例えば、メタルバック１４に１０［ｋＶ］程度の高電圧を印加することにより、蛍光体スクリーンの電位を高くする。これにより、接地された背面基板４と前面基板２との間に１０［ｋＶ］程度の電位差が形成される。
【００２１】
そして、上記ＳＥＤにおいて、画像を表示する場合、走査配線１８ａに接続したＹドライバＩＣ１３および信号配線１８ｂに接続したＸドライバＩＣ１５を介して電子放出素子１６の素子電極間に電圧を与え、任意の電子放出素子１６の電子放出部から電子ビームを放出させるとともに、メタルバック１４にアノード電圧を印加する。電子放出部から放出された電子ビームは、アノード電圧により加速され、蛍光体スクリーン１２に照射される。これにより、蛍光体スクリーン１２の蛍光体層Ｒ、Ｇ、Ｂが励起されて発光し、カラー画像を表示する。
【００２２】
また、上記構造の表示パネル１０を製造する場合、予め、蛍光体スクリーン１２およびメタルバック１４の設けられた前面基板２を用意し、電子放出素子１６および配線１８が設けられているとともに側壁６およびスペーサ８が接合された背面基板４を用意しておく。そして、前面基板２、および背面基板４を図示しない真空チャンバ内に配置し、真空チャンバ内を真空排気した後、側壁６を介して前面基板２を背面基板４に接合する。これにより、複数のスペーサ８を備えた表示パネル１０が製造される。
【００２３】
ところで、上述したＳＥＤの駆動時において、複数本の走査配線１８ａおよび複数本の信号配線１８ｂを流れる電流により不所望な電磁波が発生することが知られている。この電磁波は、近くにある機器間における干渉の問題や人体に対する悪影響の問題を引き起こす。本実施の形態では、この不所望な電磁波の発生を抑制するため、背面基板４の裏面側にコイル２０を設けた。
【００２４】
つまり、図４に示すように、複数個のＹドライバＩＣ１３を背面基板４の両短辺に沿って並設し且つ複数個のＸドライバＩＣ１５を背面基板４の一方の長辺に沿って並設したタイプのＳＥＤでは、ＸドライバＩＣ１５から信号配線１８ｂを通って図５中下方（第１の方向）に流れた電流が、各走査配線１８ａとの交点にある電子放出素子１６を通って当該走査配線１８ａに流れ、当該走査配線１８ａの両側にあるＹドライバＩＣ１３に流れる（図５中矢印Ｉ）。この際、走査配線１８ａの配線抵抗により、電子放出素子１６を流れた電流は、左右近い方のＹドライバＩＣ１３に流れる。
【００２５】
このため、全ての電子放出素子１６を平均的に駆動した場合を想定すると、図６に示す向きの電流のループＲ1、Ｒ2が形成され、表示パネル１０を貫く磁界Ｍ1が形成される。言い換えると、ＳＥＤの駆動時には、このような特性を有する磁界Ｍ１に起因した電磁波が発生する。
【００２６】
このような不所望な電磁波を抑制するため、コイル２０は、図７に示すように、背面基板４の長手方向に沿って並んだ２つのループを形成したコイル２１、２２を有し、各コイル２１、２２を直列に接続してそれぞれ逆向きの電流を流すようにした。この際、コイル２１、２２に流す電流の向きは、背面基板４の長手方向略中央で、上述した信号配線１８ｂを流れる電流と逆向き、すなわち図中上方（第２の方向）となり、背面基板４の長手方向両端近くで図中下方（第１の方向）となるように設定した。また、コイル２１、２２に流す電流の周波数は、配線１８を流れる電流の周波数と同じ周波数にした。これにより、配線１８を流れる電流に起因した電磁波を少なくとも部分的に抑制することができる磁界Ｍ2を形成でき、電磁波の発生を抑制できる。
【００２７】
図８には、コイル２０の取付構造を示してある。コイル２０は、表示パネル１０の裏面、すなわち背面基板４の裏面に取り付けられるアルミニウム板からなる補強板３０に取り付けられる。特に、コイル２０は、補強板３０の背面基板４から離間した側に取り付けられる。具体的には、補強板３０のリブ３２にコイル２０を収容可能な凹所３４を形成し、この凹所３４にコイル２０を収容配置するようにした。
【００２８】
このように補強板３０にコイル２０を取り付けることにより、アルミニウム板を通過する電磁波により生じる渦電流によって電磁波を減衰させることができるとともに、コイル２０を流れる電流によって形成される磁界Ｍ2によって、補強板３０を通過して漏洩した電磁波をさらに抑制することができる。
【００２９】
以上のように、本実施の形態によると、不所望な電磁波を発生させる表示パネル１０裏面に電磁波を部分的に抑制するためのコイル２０を設けたため、漏洩電磁波を効果的に抑制でき、機器間の干渉の問題や人体に対する悪影響を無くすことができ、信頼性の高い表示装置を提供できる。
【００３０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３１】
例えば、上述した実施の形態では、電磁波を抑制するためのコイル２０を表示パネル１０の補強板３０に取り付けた場合について説明したが、これに限らず、表示パネル１０にコイル２０を直接取り付けても良い。この場合、例えば、樹脂フィルムにコイル２０をプリントしたものを表示パネル１０の裏面に貼り付けても良い。
【図面の簡単な説明】
【００３２】
【図１】この発明の実施の形態に係るＳＥＤの表示パネルを示す外観斜視図。
【図２】図１の表示パネルを線分II−IIに沿って切断した断面斜視図。
【図３】図２の断面を部分的に拡大して示す部分拡大断面図。
【図４】図１の表示パネルの背面基板の配線構造を説明するための模式図。
【図５】図４の配線を流れる電流の方向を説明するための動作説明図。
【図６】図５の電流に起因した磁界の状態を説明するための図。
【図７】図６の磁界を打ち消すための本発明の実施の形態に係るコイルを示す図。
【図８】表示パネルに対するコイルの取付構造を説明するための図。
【符号の説明】
【００３３】
２…前面基板、４…背面基板、６…側壁、８…スペーサ、１０…真空外囲器（表示パネル）、１２…蛍光体スクリーン、１３…ＹドライバＩＣ、１４…メタルバック、１５…ＸドライバＩＣ、１６…電子放出素子、１８…配線、１８ａ…走査配線、１８ｂ…信号配線、２０…コイル、２１、２２…コイル、３０…補強板、３２…リブ、３４…凹所、Ｉ…電流、Ｍ1、Ｍ2…磁界。
【図１】
2006134665.tif 000003
【図２】
2006134665.tif 000004
【図３】
2006134665.tif 000005
【図４】
2006134665.tif 000006
【図５】
2006134665.tif 000007
【図６】
2006134665.tif 000008
【図７】
2006134665.tif 000009
【図８】
2006134665.tif 000010